(57)【要約】【課題】ユーザ操作中に着信があった場合に、誤ってその着信に応答してしまうことを防止しつつも、着信があったことをユーザが知ることができるようにした携帯電話機を提供する。【解決手段】携帯電話機は、着信時に報知を行う報知部と、前記報知部が前記報知を開始してから一定時間を経過するまで、当該報知に係る前記着信への応答を抑止し、当該一定時間を経過した後に、当該抑止を停止する制御を行う応答制御部とを備える。【選択図】図１
2013201670.tif 000002
【特許請求の範囲】
【請求項１】
着信時に報知を行う報知部と、
前記報知部が前記報知を開始してから一定時間を経過するまで、当該報知に係る前記着信への応答を抑止し、当該一定時間を経過した後に、当該抑止を停止する制御を行う応答制御部とを備える
ことを特徴とする携帯電話機。
【請求項２】
前記携帯電話機は、更に
操作部と、
当該操作部において着信への応答操作が行われた場合に、当該着信への応答処理を実行する応答処理部と、
前記報知部が前記報知を開始してから、前記一定時間の計時を行う計時部を備え、
前記応答制御部は、
前記報知部が前記報知を開始してから前記計時部が前記計時を完了するまで、前記応答処理部による前記応答処理を抑止し、当該計時を完了した後に、当該抑止を停止するよう前記制御を行う
ことを特徴とする請求項１記載の携帯電話機。
【請求項３】
前記計時部が計時を行う前記一定時間は、ユーザが前記報知部による前記報知に係る前記着信への応答を行うかを判断できる程度の時間であり、
前記携帯電話機は、更にディスプレイを備え、
前記操作部は、当該ディスプレイ上の接触操作を検出するためのタッチパッドであり、
前記応答制御部は、
前記報知部が前記報知を開始してから前記計時部が前記計時を完了するまで、当該報知に係る前記着信への応答操作を行うための応答ボタンを前記ディスプレイに表示させず、当該計時を完了した後に、当該応答ボタンを前記ディスプレイに表示させ、
前記応答処理部は、
前記ディスプレイに表示されている前記応答ボタンの選択を、前記着信への応答操作として前記応答処理を行う
ことを特徴とする請求項２記載の携帯電話機。
【請求項４】
前記携帯電話機は、省電力状態と非省電力状態との２つの状態を有し、更に
前記携帯電話機の状態が非省電力状態である場合において、前記操作部への直近の操作から所定時間を経過したときに、当該携帯電話機の状態を省電力状態へと切り替え、前記携帯電話機の状態が省電力状態である場合において、前記操作部への操作があったときに、当該携帯電話機の状態を非省電力状態へと切り替える状態切替部を備え、
前記応答制御部は、
前記携帯電話機が前記非省電力状態である場合に限り、前記制御を行う
ことを特徴とする請求項２記載の携帯電話機。
【請求項５】
前記携帯電話機は、更に
前記操作部への操作に応じてアプリケーションプログラムを実行する実行部を備え、
前記応答制御部は、
前記実行部がアプリケーションプログラムを実行している場合に限り、前記制御を行う
ことを特徴とする請求項２記載の携帯電話機。
【請求項６】
前記携帯電話機は、更に連絡先毎に、電話番号と名称とを対応付けて登録したアドレス帳を記憶する記憶部を備え、
前記報知部は、前記着信の発信元となる電話番号と対応する名称が前記アドレス帳に登録されている場合には、当該名称を前記ディスプレイに表示させる処理を、前記アドレス帳に登録されていない場合には、前記着信の発信元となる電話番号を前記ディスプレイに表示させる処理を前記報知として行う
ことを特徴とする請求項２記載の携帯電話機。
【請求項７】
携帯電話機における着信時制御方法であって、
着信時に報知を行う報知ステップと、
前記報知ステップで前記報知を開始してから一定時間を経過するまで、当該報知に係る前記着信への応答を抑止し、当該一定時間を経過した後に、当該抑止を停止する制御を行う応答制御ステップとを含む
ことを特徴とする着信時制御方法。
【請求項８】
携帯電話機におけるプロセッサに着信時制御処理を行わせるためのプログラムであって、
前記着信時制御処理は、
着信時に報知を行う報知ステップと、
前記報知ステップで前記報知を開始してから一定時間を経過するまで、当該報知に係る前記着信への応答を抑止し、当該一定時間を経過した後に、当該抑止を停止する制御を行う応答制御ステップとを含む
ことを特徴とするプログラム。
【発明の詳細な説明】
【技術分野】
【０００１】
本発明は、携帯電話機に関し、特に、着信時の制御技術に関する。
【背景技術】
【０００２】
ユーザが携帯電話機を操作している場合において、例えば、音声着信等の着信（以下、単に「着信」という）があったときに、誤ってその着信に応答してしまうという問題がある。
この問題に対しては、携帯電話機において、ユーザが操作キーを連打している間は着信通知を行わないようにする技術（例えば特許文献１）を利用することが考えられる。
【０００３】
他方、偽の着信告知を防止するために、着信告知装置が検知した信号が所定時間（２秒以上、好ましくは３秒ないし５秒）を越えて持続的である場合のみ告知動作信号の発生を許す技術（例えば特許文献２）も知られている。
【先行技術文献】
【特許文献】
【０００４】
【特許文献１】特開２００５−１１００２６号公報
【特許文献２】特開平１０−２３５２４号公報
【発明の概要】
【発明が解決しようとする課題】
【０００５】
しかしながら、特許文献１の方法では、操作キーを連打している間、ユーザは着信があったことを知ることができないという新たな問題が生じる。
また、特許文献２の方法では、所定時間ユーザが着信に気付くことができないという問題がある。
そこで、本発明は係る問題に鑑みてなされたものであり、ユーザ操作中に着信があった場合に、誤ってその着信に応答してしまうことを防止しつつも、着信があったことをユーザが知ることができるようにした携帯電話機を提供することを目的とする。
【課題を解決するための手段】
【０００６】
上記課題を解決するために、本発明に係る携帯電話機は、着信時に報知を行う報知部と、前記報知部が前記報知を開始してから一定時間を経過するまで、当該報知に係る前記着信への応答を抑止し、当該一定時間を経過した後に、当該抑止を停止する制御を行う応答制御部とを備えることを特徴とする。
ここで、報知とは、音声やバイブレータの振動によるものの他、ディスプレイへの文字や画像等の表示によるものも含む。
【発明の効果】
【０００７】
上記構成を備える本発明に係る携帯電話機によれば、ユーザ操作中に着信があった場合に、誤ってその着信に応答してしまうことを防止しつつも、ユーザは、着信があったことを知ることができる。
【図面の簡単な説明】
【０００８】
【図１】実施の形態に係る携帯電話機１００の外観及び表示例を示す図
【図２】携帯電話機１００の主要部の機能構成を示すブロック図
【図３】アドレス帳１０のデータ構成及び内容例を示す図
【図４】携帯電話機１００の着信時処理を示すフローチャート
【図５】変形例に係る携帯電話機２００の外観を示す図
【図６】変形例に係る携帯電話機２００の表示例を示す図
【図７】変形例に係る携帯電話機２００の主要部の機能構成を示すブロック図
【図８】携帯電話機２００の着信時処理を示すフローチャート
【発明を実施するための形態】
【０００９】
以下、本発明に係る携帯電話機の一実施形態について説明する。
≪１．実施の形態≫
＜１−１．概要＞
図１（ａ）及び（ｂ）は、実施の形態に係る携帯電話機１００の外観及び表示例を示す図である。
【００１０】
図１（ａ）及び（ｂ）に示すように、携帯電話機１００は、いわゆるストレート型の端末であり、筐体１には、レシーバ３、マイク４及びタッチパッド付きのディスプレイ１１０が配置されている。なお、図１（ａ）及び（ｂ）では特に図示していないが、筐体１のディスプレイ１１０が配置されている面と対向する面には、スピーカ６が配置されている。
【００１１】
この携帯電話機１００は、図１（ａ）に示すように、着信時に、着信を示すメッセージＭ１を表示して報知を開始するものの、報知の開始から一定時間を経過するまでは、ディスプレイ１１０に、その着信に応答するための応答ボタンＢ１を表示しない。そして、この携帯電話機は、報知の開始から一定時間を経過した後に、図１（ｂ）に示すように、ディスプレイ１１０に応答ボタンＢ１を表示する。
【００１２】
従って、ユーザ操作中に着信があっても、その時点ではディスプレイ１１０に応答ボタンＢ１は表示されていないので、誤ってその着信に応答してしまうことを適切に防止しつつも、メッセージＭ１により、ユーザは着信があったことを知ることができる。
以下では、応答ボタンＢ１の表示位置にユーザの指等を接触させることを、応答ボタンＢ１を選択するともいう。この応答ボタンＢ１を選択することで、着信に対する応答処理が実行され、通話が開始されることになる。
【００１３】
＜１−２．機能構成＞
図２は、携帯電話機１００の主要部の機能構成を示すブロック図である。
携帯電話機１００は、同図に示すように、レシーバ３、マイク４、スピーカ６、ディスプレイ１１０、コントローラ１１４、音声処理部１２０、バイブレータ１２１、通信部１３０、第１計時部１４０、第２計時部１４１、記憶部１５０及び制御部１６０を備える。
【００１４】
なお、携帯電話機１００は、プロセッサ及びメモリを含んで構成されており、制御部１６０の機能は、メモリに記憶されているプログラムをプロセッサが実行することにより実現される。
ディスプレイ１１０は、ＬＣＤ（Ｌｉｑｕｉｄ  Ｃｒｙｓｔａｌ  Ｄｉｓｐｌａｙ）１１１、バックライト１１２及びタッチパッド１１３を含む。
【００１５】
ここで、バックライト１１２は、エッジライト方式のＬＥＤバックライトであり、タッチパッド１１３は、静電容量方式のタッチセンサであり、ＬＣＤ１１１に重畳して設けられている。なお、タッチパッド１１３は、透明部材を用いて構成されており、ＬＣＤ１１１に表示された画像が見えるように構成されている。
また、コントローラ１１４は、タッチパッド１１３に対するユーザの指等の接触を検出し、検出している間、単位時間（例えば、２５ｍｓ）毎に、そのタッチパッド１１３における接触位置の座標値（ｘ，ｙ）を制御部１６０に出力するＩＣ（Ｉｎｔｅｇｒａｔｅｄ  Ｃｉｒｃｕｉｔ）である。
【００１６】
音声処理部１２０は、制御部１６０から受領した受話信号をＤ／Ａ（Ｄｉｇｉｔａｌ／Ａｎａｌｏｇ）変換してレシーバ３から出力し、マイク４から入力された音声信号をＡ／Ｄ（Ａｎａｌｏｇ／Ｄｉｇｉｔａｌ）変換して制御部１６０に送出する機能の他、特に、制御部１６０の指示に従って、着信音をスピーカ６から出力する機能を有する。
通信部１３０は、アンテナを介して基地局との間で電波の送受信を行う回路であり、受信信号を復調して制御部１６０へ伝達する機能と、制御部１６０から受領した送信信号を変調して送信する機能を有する。
【００１７】
第１計時部１４０は、制御部１６０からの指示に応じて計時を開始し、一定時間（例えば１コール程度の時間（２秒程度））を計時すると、その旨を制御部１６０に通知する機能を有する。また、第２計時部１４１は、制御部１６０からの指示に応じて、計時を開始し、所定時間（例えば、１５秒）を計時すると、その旨を制御部１６０に通知する機能を有する。第１及び第２計時部（１４０、１４１）は、例えば、タイマやカウンタにより実現される。なお、第１計時部１４０が計時する一定時間と、第２計時部１４１が計時する所定時間は、携帯電話機１００のメーカにより予め設定されているものとする。
【００１８】
記憶部１５０は、アドレス帳１０、アプリケーションプログラム群２０、スリープフラグ３０、マナーモードフラグ４０及び実行フラグ５０を記憶するためのメモリ領域である。
ここで、アドレス帳１０は、各通信相手についての名称、電話番号、メールアドレス等を対応付けて登録したものである（図３を用いて後述する）。アプリケーションプログラム群２０は、携帯電話機１００が実行可能な各種アプリケーションプログラム（例えば、Ｗｅｂブラウザ、メール、ゲーム等のプログラム）である。
【００１９】
また、スリープフラグ３０は、携帯電話機１００がスリープ状態であるか否かを示す情報である。スリープ状態とは、バックライト１１２を消灯させ、かつ携帯電話機１００が備えるプロセッサが、コントローラ１１４からの入力割り込み待ちである省電力状態である。また、マナーモードフラグ４０は、携帯電話機１００がバイブレータ１２１を鳴動させて報知するマナーモードであるか否かを示す情報である。また、実行フラグ５０は、携帯電話機１００がアプリケーションプログラム群２０に含まれるアプリケーションプログラムを実行中であるか否かを示す情報である。
【００２０】
また、制御部１６０は、特に、着信の際に、ディスプレイ１１０への応答ボタンＢ１の表示タイミングを制御することで、着信に対する応答を抑制する機能を有する。なお、制御部１６０は、一般的な携帯電話機が有する機能、例えば通信部１３０を介して基地局から受領した信号に基づいて着信を検出する機能や、ユーザ操作に応じてマナーモードと非マナーモードとを切り替える、つまりマナーモードフラグ４０を更新する機能も有する。制御部１６０は、表示制御部１６１、実行部１６２、状態切替部１６３、報知部１６４、応答制御部１６５及び応答処理部１６６を含んで構成される。
【００２１】
ここで、表示制御部１６１は、実行部１６２及び応答制御部１６５の指示に従って、文字や画像等をディスプレイ１１０に表示させる機能を有する。
実行部１６２は、コントローラ１１４から出力された座標値が示す接触位置に対応する処理、例えば、接触位置に表示されている表示物（アイコンやキー等）に割り当てられた処理を実行する機能を有する。なお、実行部１６２は、接触位置に対応する処理として、アプリケーションプログラム群２０に含まれるアプリケーションプログラムの実行を開始した場合に、実行中であることを示すように実行フラグ５０を更新する。また、実行部１６２は、接触位置に対応する処理として、アプリケーションプログラムの実行を終了した場合に、実行中でないことを示すように実行フラグ５０を更新する。
【００２２】
状態切替部１６３は、コントローラ１１４からの座標値の出力の有無に基づいて、携帯電話機１００の状態をスリープ状態と非スリープ状態との間で相互に切り替える機能を有する。
具体的には、状態切替部１６３は、非スリープ状態である場合に、コントローラ１１４から最後に座標値が出力されてから所定時間（この例では１５秒）が経過した際に携帯電話機１００をスリープ状態に切り替える。つまり、バックライト１１２を消灯させ、かつ携帯電話機１００のプロセッサをコントローラ１１４からの入力割り込み待ちの状態にする。また、状態切替部１６３は、スリープ状態である場合に、コントローラ１１４から座標値が出力されると、非スリープ状態に切り替える。つまり、バックライト１１２を点灯させ、かつ携帯電話機１００のプロセッサをコントローラ１１４からの入力割り込み待ちの状態から復帰させる。なお、状態切替部１６３は、携帯電話機１００の状態を切り替えた際に、切り替え後の状態を示すように、スリープフラグ３０を更新する。
【００２３】
また、状態切替部１６３は、コントローラ１１４から座標値が出力される毎に第２計時部１４１に計時を開始させ、第２計時部１４１から通知があった場合に、コントローラ１１４から最後に座標値が出力されてから所定時間が経過したと判定する。
報知部１６４は、制御部１６０による着信の検出時に報知を行う機能を有する。ここで、本実施の形態における報知とは、表示制御部１６１を介してディスプレイ１１０に着信を示すメッセージを表示させると共に、記憶部１５０のマナーモードフラグ４０の内容に応じて、音声処理部１２０を介してスピーカ６から着信音を出力させ、又はバイブレータ１２１を鳴動させる処理をいう。なお、報知部１６４は、報知を開始する際に、応答制御部１６５に通知する。
【００２４】
なお、着信を示すメッセージには、発信元を示す情報が含まれる。報知部１６４は、発信元の電話番号が、記憶部１５０のアドレス帳１０に登録されている場合には対応する名称を、アドレス帳１０に登録されていない場合にはその発信元の電話番号を、発信元を示す情報としてディスプレイ１１０に表示させる。なお、図１（ａ）に示すメッセージＭ１は、発信元の電話番号が記憶部１５０のアドレス帳１０に登録されており、対応する名称「Ａ山Ｂ子」が発信元を示す情報として表示された例を示している。
【００２５】
応答制御部１６５は、報知部１６４が報知を開始してから一定時間を経過するまでは、応答ボタンＢ１をディスプレイ１１０に表示させず、一定時間を経過した後に、表示制御部１６１を介して応答ボタンＢ１をディスプレイ１１０に表示させる機能を有する。応答制御部１６５は、報知部１６４からの通知を受けて、第１計時部１４０に計時を開始させ、第１計時部１４０からの通知の有無により一定時間を経過したかを判定する。
【００２６】
応答処理部１６６は、応答ボタンＢ１が選択された場合、つまりコントローラ１１４から出力された座標値が示す接触位置が、応答ボタンＢ１の表示位置に含まれる場合に、着信に対する応答処理（オフフック）を実行し、通話を開始する機能を有する。
なお、本実施の形態では、応答制御部１６５は、報知部１６４が報知を開始してから一定時間を経過するまでは、応答ボタンＢ１をディスプレイ１１０に表示させないこととしている。しかしながら、応答制御部１６５は、報知部１６４が報知を開始した際に応答ボタンＢ１をディスプレイ１１０に表示するようにし、、応答処理部１６６は、報知部１６４が報知を開始してから一定時間を経過するまでの間に応答ボタンＢ１が選択された場合、つまりコントローラ１１４から出力された座標値が示す接触位置が、応答ボタンＢ１の表示位置に含まれる場合に、着信に対する応答処理（オフフック）の実行を抑止し、通話を開始させないとしてもよい。
【００２７】
＜１−３．データ＞
以下では、携帯電話機１００が使用するデータについて、図３を用いて説明する。
図３は、アドレス帳１０のデータ構成及び内容例を示す図である。
同図に示すように、アドレス帳１０は、Ｎｏ．１１、名称１２、電話番号１３及びメールアドレス１４から構成される情報である。
【００２８】
なお、以下では、対応づけて登録されているＮｏ．と、名称と、電話番号と、メールアドレスとからなる１件分の情報を「レコード」ともいう。
ここで、Ｎｏ．１１は、発信元となる各通信相手を識別するための識別情報であり、この例では、レコードの登録順に、１から１ずつ増加させた数字を用いている。
また、名称１２は、対応するＮｏ．が示す通信相手の名称であり、電話番号１３は、その通信相手が所有する電話機に割り振られた電話番号であり、メールアドレス１４は、その通信相手が所有するメールアドレスである。
【００２９】
同図は、例えば、Ｎｏ．が「１」である通信相手の名称は「Ａ山Ｂ子」であり、電話番号は「０９０○○○○１１１１」であり、メールアドレスは「ａ○ａ＠ｂｂｂ．ｃｏｍ」であることを示している。
＜１−４．動作＞
上記構成を備える携帯電話機１００の動作について、図４を用いて説明する。
【００３０】
図４は、携帯電話機１００の着信時処理を示すフローチャートである。
同図に示すステップＳ１〜Ｓ１１の処理を含む着信時処理は、携帯電話機１００の電源がＯＮの間、繰り返し実行される。
また、同図に示す着信時処理とは独立した処理として、コントローラ１１４からの座標値の出力の有無に基づいて、携帯電話機１００の状態をスリープ状態と非スリープ状態との間で相互に切り替え、切り替え後の状態を示すようにスリープフラグ３０を更新する処理が状態切替部１６３により行われる。また、同図に示す着信時処理とは独立した処理として、アプリケーションプログラム群２０に含まれるアプリケーションプログラムの実行を開始する操作及び終了する操作に応じて、アプリケーションプログラムの現在の実行状況を示すように、実行フラグ５０を更新する処理が実行部１６２により行われる。
【００３１】
まず、制御部１６０は、着信があったか否かを判定し（ステップＳ１）、着信をあった場合に（ステップＳ１：ＹＥＳ）、報知部１６４は、着信の報知を開始する（ステップＳ２）。具体的には、報知部１６４は、発信元を示す情報を含めた着信を示すメッセージ（例えば、図１（ａ）のメッセージＭ１）を、表示制御部１６１を介してディスプレイ１１０に表示させると共に、記憶部１５０のマナーモードフラグ４０の内容に応じた処理を行う。即ち、マナーモードフラグ４０がマナーモードであることを示す場合には、バイブレータ１２１を鳴動させ、マナーモードフラグ４０がマナーモードでないことを示す場合には、スピーカ６からの着信音の出力を音声処理部１２０に指示する。
【００３２】
また、報知部１６４は、報知を開始する際に応答制御部１６５への通知を行い、この通知を受けた応答制御部１６５は、第１計時部１４０に一定時間の計時を開始させ（ステップＳ３）、記憶部１５０のスリープフラグ３０を参照し、携帯電話機１００がスリープ状態であるかを判定する（ステップＳ４）。
応答制御部１６５は、携帯電話機１００がスリープ状態であると判定した場合に（ステップＳ４：ＹＥＳ）、後述するステップＳ８の処理に進む。一方、応答制御部１６５は、携帯電話機１００がスリープ状態でないと判定した場合に（ステップＳ４：ＮＯ）、記憶部１５０の実行フラグ５０を参照し、アプリケーションプログラム群２０に含まれるアプリケーションプログラムが実行中であるかを判定する（ステップＳ５）。
【００３３】
応答制御部１６５は、アプリケーションプログラムが実行中でないと判定した場合に（ステップＳ５：ＮＯ）、ステップＳ８の処理に進む。一方、応答制御部１６５は、アプリケーションプログラムが実行中であると判定した場合に（ステップＳ５：ＹＥＳ）、第１計時部１４０から通知があったかに基づいて、報知部１６４による着信の報知の開始から一定時間が経過したかを判定する（ステップＳ６）。
【００３４】
応答制御部１６５は、第１計時部１４０からの通知がない間、一定時間が経過していないと判定し（ステップＳ６：ＮＯ）、制御部１６０は、ステップＳ１で検出した着信が継続しているか判定する（ステップＳ７）。制御部１６０は、着信が継続していないと判定した場合には（ステップＳ７：ＮＯ）、着信時処理を終了し、着信が継続していると判定した場合には（ステップＳ７：ＹＥＳ）、応答制御部１６５は、再びステップＳ６から処理を行う。
【００３５】
また、応答制御部１６５は、第１計時部１４０からの通知があった場合に、一定時間が経過したと判定し（ステップＳ６：ＹＥＳ）、表示制御部１６１を介して、応答ボタンＢ１をディスプレイ１１０に表示させる（ステップＳ８）。
応答処理部１６６は、応答ボタンＢ１の表示位置の座標値がコントローラ１１４から出力されるかに基づいて、ユーザによる着信への応答操作が行われたかを判定する（ステップＳ９）。応答処理部１６６が、応答操作が行われていないと判定した場合に（ステップＳ９：ＮＯ）、制御部１６０は、ステップＳ１で検出した着信が継続しているか判定する（ステップＳ１０）。制御部１６０は、着信が継続していないと判定した場合には（ステップＳ１０：ＮＯ）、着信時処理を終了し、着信が継続していると判定した場合には（ステップＳ１０：ＹＥＳ）、応答制御部１６５は、再びステップＳ９から処理を行う。
【００３６】
応答処理部１６６は、応答操作が行われたと判定した場合には（ステップＳ９：ＹＥＳ）、応答処理（オフフック）を行い、通話を開始し（ステップＳ１１）、着信時処理を終了する。
≪２．変形例≫
実施の形態では、携帯電話機１００の応答制御部１６５が、報知部１６４による着信の報知の開始から一定時間経過後に、表示制御部１６１を介して、はじめて応答ボタンＢ１をディスプレイ１１０に表示させることで、着信の報知の開始から一定時間の間の応答を抑制する例を説明した。
【００３７】
以下では、タッチパッド１１３に代えて、応答ボタンを含むボタン群やキー群からなる通常の操作部を備える携帯電話機において、着信の報知の開始から一定時間の間のオフフックボタンからの入力に基づく応答処理を抑止するようにした一変形例を実施の形態に係る携帯電話機１００との相違点を中心に説明する。
＜２−１．概要＞
図５（ａ）及び（ｂ）は、変形例に係る携帯電話機２００の外観を示す図であり、図６（ａ）及び（ｂ）は、変形例に係る携帯電話機２００の表示例を示す図である。
【００３８】
図５（ａ）及び（ｂ）に示すように、携帯電話機２００は、第１筺体２０１及び第２筺体２０２からなるいわゆる折りたたみ式型の端末であり、第１筺体２０１には、レシーバ２０３及びディスプレイ２１０が配置され、第２筺体２０２には、マイク２０４、スピーカ２０６及び操作部２１３が配置されている。
この携帯電話機２００は、実施の形態に係る携帯電話機１００と同様に、図６（ａ）に示すように、着信時に、着信を示すメッセージＭ１を表示して報知を開始する。しかし、この携帯電話機２００は、報知の開始から一定時間を経過するまでに、操作部２１３のオフフックボタン２１４が押下されても、着信に対応する応答が無効であることを示すメッセージＭ２をディスプレイ１１０に表示し、着信に対応する応答処理（オフフック）を行わない。従って、ユーザ操作中に着信があり、オフフックボタン２１４を押下してしまった場合でも、ユーザが誤ってその着信に応答してしまうことを適切に防止しつつも、ユーザは、着信があったことを知ることができる。
【００３９】
なお、この携帯電話機２００は、報知の開始から一定時間を経過した後にオフフックボタン２１４が押下された場合には、着信に対応する応答処理（オフフック）を行う（図６（ｂ）参照）。
＜２−２．機能構成＞
図７は、変形例に係る携帯電話機２００の主要部の機能構成を示すブロック図である。
【００４０】
携帯電話機２００は、同図に示すように、実施の形態に係る携帯電話機１００のレシーバ３、マイク４、スピーカ６、ディスプレイ１１０、コントローラ１１４、記憶部１５０及び制御部１６０に代えて、レシーバ２０３、マイク２０４、スピーカ２０６、ディスプレイ２１０、操作部２１３、記憶部２５０及び制御部２６０を備える。
ここで、レシーバ２０３、マイク２０４、スピーカ２０６は、基本的に実施の形態に係るレシーバ３、マイク４、スピーカ５とそれぞれ同様のものである。
【００４１】
また、ディスプレイ２１０は、ＬＣＤ１１１及びバックライト１１２を含み、タッチパッド１１３を含まない点以外は、実施の形態に係るディスプレイ１１０と基本的に同様のものである。なお、携帯電話機２００は、実施の形態に係る携帯電話機１００のようにタッチパッド１１３を備えないため、コントローラ１１４も備えていない。
操作部２１３は、オフフックボタン２１４を含むボタン群やテンキー等のキー群から構成され、ユーザにより押下されたボタン及びキーに対応する入力信号を制御部２６０に送出する機能を有する。
【００４２】
また、記憶部２５０は、実施の形態で説明したアドレス帳１０、アプリケーションプログラム群２０、スリープフラグ３０、マナーモードフラグ４０及び実行フラグ５０の他、応答無効フラグ６０を記憶するためのメモリ領域である。
ここで、応答無効フラグ６０は、着信に対する応答操作、つまりオフフックボタン２１４の押下が無効であるか否かを示す情報である。
【００４３】
また、制御部２６０は、実施の形態に係る制御部１６０と同様、一般的な携帯電話機が有する機能を有する他、特に、着信の報知開始から一定時間が経過するまでの間は、オフフックボタン２１４の押下に基づく着信に対する応答処理（オフフック）を抑制する機能を有する。制御部２６０は、実施の形態に係る制御部１６０の応答制御部１６５及び応答処理部１６６に代えて、応答制御部２６５及び応答処理部２６６を含む。
【００４４】
ここで、応答制御部２６５は、報知部１６４が報知を開始してから一定時間を経過するまでは、オフフックボタン２１４が押下されても応答処理が実行されないようにするために、応答無効フラグ６０を更新する機能を有する。即ち、応答制御部２６５は、報知部１６４が報知を開始した際になされる通知を受けると、応答無効フラグ６０をオフフックボタン２１４の押下が無効であることを示すように更新すると共に、第１計時部１４０に一定時間の計時を開始させる。また、応答制御部２６５は、第１計時部１４０からの通知があった場合に、応答無効フラグ６０をオフフックボタン２１４の押下が有効であることを示すように更新する。なお、以下では、応答無効フラグ６０をオフフックボタン２１４の押下が無効であることを示すように更新することを、応答無効フラグ６０をＯＮに更新するともいい、応答無効フラグ６０をオフフックボタン２１４の押下が有効であることを示すように更新することを、応答無効フラグ６０をＯＦＦに更新するともいう。
【００４５】
応答処理部２６６は、オフフックボタン２１４が押下された場合において、応答無効フラグ６０がＯＦＦであるときに、着信に対する応答処理（オフフック）を実行し、通話を開始する機能を有する。
なお、実施の形態では、スリープ状態は、バックライト１１２を消灯させ、かつ携帯電話機１００が備えるプロセッサが、コントローラ１１４からの入力割り込み待ちである省電力状態であるものとして説明した。しかしながら、変形例に係る携帯電話機２００はコントローラ１１４を備えないため、バックライト１１２を消灯させ、かつ携帯電話機２００が備えるプロセッサが、操作部２１３からの入力割り込み待ちである省電力状態を、スリープ状態ということとする。
【００４６】
＜２−３．動作＞
上記構成を備える携帯電話機２００の動作について、図８を用いて説明する。
図８は、携帯電話機２００の着信時処理を示すフローチャートである。
同図に示す着信時処理は、実施の形態に係る制御部１６０のよる着信時処理（図４参照）のステップＳ２の処理とステップＳ３の処理との間にステップＳ２１の処理を含み、ステップＳ８の処理に代えてステップＳ２２の処理を含むようにしたものである。従って、以下では、ステップＳ２１及びＳ２２の処理を中心に説明する。
【００４７】
まず、制御部２６０が、着信をあったと判定した場合に（ステップＳ１：ＹＥＳ）、報知部１６４は、報知処理を開始し（ステップＳ２）、その際に応答制御部２６５への通知を行う。
続いて、この通知を受けた応答制御部２６５は、記憶部２５０の応答無効フラグ６０をＯＮ、つまりオフフックボタン２１４の押下が無効であることを示すように更新し（ステップＳ２１）、第１計時部１４０への一定時間の計時開始指示を行う（ステップＳ３）。
【００４８】
応答制御部２６５は、特に、携帯電話機１００がスリープ状態でなく、かつアプリケーションプログラムが実行中であると判定した場合に（ステップＳ４：ＮＯ、Ｓ５：ＹＥＳ）、着信の報知の開始から一定時間が経過したかの判定処理を行う（ステップＳ６）。
応答制御部２６５は、一定時間を経過するまで着信が継続しているかの判定処理を繰り返し行い（ステップＳ６：ＮＯ、Ｓ７）、一定時間が経過したと判定した場合に（ステップＳ６：ＹＥＳ）、記憶部２５０の応答無効フラグ６０をＯＦＦに更新する（ステップＳ２２）。つまり、応答制御部２６５は、応答無効フラグ６０を、オフフックボタン２１４の押下が有効であることを示すように更新する。
【００４９】
続いて、応答処理部２６６は、ユーザによる着信への応答操作、つまりオフフックボタン２１４の押下が行われるまで着信が継続しているかの判定処理を繰り返し行い（ステップＳ９：ＮＯ、Ｓ１０）、応答操作が行われたと判定した場合には（ステップＳ９：ＹＥＳ）、応答処理（オフフック）を行い、通話を開始し（ステップＳ１１）、着信時処理を終了する。
【００５０】
≪補足≫
以上、本発明に係る携帯電話機を、実施の形態及び変形例に基づいて説明したが、以下のように変形することも可能であり、本発明は上述した実施の形態及び変形例で示した通りの携帯電話機に限られないことは勿論である。
（１）実施の形態及び変形例では、第１計時部１４０が計時する一定時間は、予め設定されているものとして説明したが、ユーザが任意の時間を設定できるようにしてもよいし、予め用意されていた複数の選択肢の中からユーザが所望の時間を選択して設定できるようにしてもよい。
【００５１】
また、実施の形態及び変形例では、第１計時部１４０が計時する一定時間の一例として、１コール程度の時間（２秒程度）を用いて説明したが、これに限られず適宜任意の値を設定できる。例えば、第１計時部１４０が計時する一定時間は、報知により着信があったことを知ったユーザが、当該着信への応答を行うかを判断できる程度の時間（例えば、０．５秒）であってもよい。
【００５２】
（２）実施の形態及び変形例では、本発明に係る省電力状態の一例として、スリープ状態を説明したが、このスリープ状態に限らず、携帯電話機の電力消費を低減できる状態は、本発明に係る省電力状態に含まれる。例えば、携帯電話機が備えるプロセッサを入力割り込み待ちにすることなくバックライト１１２を消灯させる状態や、バックライト１１２を減光させる状態や、バックライト１１２を減光させると共に携帯電話機が備えるプロセッサを入力割り込み待ちにする状態や、バックライト１１２を消灯又は減光させることなく携帯電話機が備えるプロセッサを入力割り込み待ちにする状態も省電力状態に含まれる。
【００５３】
（３）実施の形態及び変形例では、スリープ状態でなく、かつアプリケーションプログラムが実行中である場合に（図４及び図８のステップＳ４：ＮＯ、Ｓ５：ＹＥＳ）、着信の報知の開始から一定時間を経過するまで、その着信への応答を抑止する制御を行うものとして説明した（図４のステップＳ６：ＹＥＳ及びＳ８、図８のステップＳ６：ＹＥＳ及びＳ２２）。しかしながら、スリープ状態であるかの判定処理（図４及び図８のステップＳ４）とアプリケーションプログラムが実行中であるかの判定処理（図４及び図８のステップＳ５）とのうちのいずれかのみを行うように変形してもよい。
【００５４】
（４）実施の形態及び変形例では、アドレス帳１０は、通信相手毎に１つの電話番号を登録した例を説明した。しかしながら、通信相手毎に複数の電話番号を登録できるようにアドレス帳１０を変形してもよい。この場合において、報知部１６４は、発信元を示す情報として、発信元となる電話番号とこのアドレス帳において対応付けて登録されている名称と共に、その発信元となる電話番号をディスプレイに表示させるようにしてもよい。これにより、ユーザは、着信元の名称だけでなく、アドレス帳に登録されている複数の電話番号のうち、いずれの電話番号からの着信であるかを知ることができるので、例えば、通信相手が、自宅にいるとか、会社にいるとかいった通信相手の居場所に関する情報をも知り得るようにできる。
【００５５】
（５）実施の形態及び変形例に係る携帯電話機は、全ての着信に対し、着信の報知の開始から一定時間を経過するまで、その着信への応答を抑止する制御を行うものとして説明した。
しかしながら、例えば、特定の電話番号（例えば、アドレス帳１０に登録されていない電話番号）からの着信に対してのみ、その着信への応答を抑止する制御を行うようにしてもよい。また、例えば、着信への応答を抑止する制御を行うか否かをユーザが設定できるようにし、着信への応答を抑止する制御を行う設定がなされている場合にのみ、着信への応答を抑止する制御を行うようにしてもよい。
【００５６】
（６）実施の形態に係る携帯電話機１００は、変形例に係る携帯電話機２００が備える操作部２１３のオフフックボタン２１４のようないわゆるハードウェアボタンを備えないものとして説明した。しかしながら、実施の形態に係る携帯電話機１００を、更に、オフフックボタン２１４を備えるように変形してもよい。この場合において、本変形に係る携帯電話機は、着信の報知の開始から一定時間を経過するまで、応答ボタンＢ１をディスプレイ１１０に表示させないようにするだけでなく、オフフックボタン２１４からの入力に基づく応答処理を抑止するようにしてもよい。これにより、ユーザが誤って応答ボタンＢ１を選択してしまった場合だけでなく、オフフックボタン２１４を押下してしまった場合にも、着信への応答を抑止することができる。
【００５７】
また、本変形に係る携帯電話機は、着信の報知の開始から一定時間を経過するまで、応答ボタンＢ１をディスプレイ１１０に表示させないようにするが、オフフックボタン２１４からの入力に基づく応答処理は抑止しないようにしてもよい。これにより、ユーザは、着信時に表示されるメッセージにより着信元の名称を確認してすぐに応答したい場合等に、着信の報知の開始から一定時間の経過を待つことなく応答することが可能になる。
【００５８】
（７）実施の形態に係る携帯電話機１００はストレート型の端末であるものとして説明したが、他の外観（折りたたみ式、スライド式等）を有する端末であってもよい。変形例に係る携帯電話機２００についても同様に、折りたたみ式に限らず、ストレート型、スライド式等の他の外観を有する端末であってもよい。
また、実施の形態及び変形例に係る携帯電話機のディスプレイ（１１０、２１０）の形状は略矩形状であるとして説明したが、例えば、円形状、その他多角形状であってもよい。また、ディスプレイ（１１０、２１０）は、ＬＣＤを含むものとして説明したが、有機ＥＬ（Ｅｌｅｃｔｒｏ−Ｌｕｍｉｎｅｓｃｅｎｃｅ）等を含むようにしてもよい。
【００５９】
また、実施の形態及び変形例で説明したスピーカ（６、２０６）の配置は一例であり、特に限定されるものではない。即ち、実施の形態に係る携帯電話機１００のスピーカ６を、例えば、ディスプレイ１１０が配置されている面に配置してもよいし、変形例に係る携帯電話機２００のスピーカ２０６を、例えば第１筐体１に配置してもよい。
（８）実施の形態及び変形例において説明した各構成要素のうち、全部又は一部を１チップ又は複数チップの集積回路で実現してもよいし、コンピュータのプログラムで実現してもよいし、その他どのような形態で実現してもよい。
【００６０】
また、実施の形態及び変形例において説明した各構成要素は、各携帯電話機（１００、２００）が有するプロセッサと協働することにより、その機能を実現する。
（９）実施の形態及び変形例において説明した携帯電話機（１００、２００）の制御部（１６０、２６０）の着信時処理（図４、図８参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより実施の形態及び変形例で示した携帯電話機（１００、２００）の各機能が実現される。
【００６１】
（１０）実施の形態及び変形例に係る携帯電話機（１００、２００）に、上記（１）〜（９）の一部又は全部の変形を組み合わせて適用してもよい。
（１１）以下、更に本発明の一実施形態に係る携帯電話機の構成及びその変形例と各効果について説明する。
（ａ）本発明の一実施形態に係る携帯電話機は、着信時に報知を行う報知部と、前記報知部が前記報知を開始してから一定時間を経過するまで、当該報知に係る前記着信への応答を抑止し、当該一定時間を経過した後に、当該抑止を停止する制御を行う応答制御部とを備える。
【００６２】
（ｂ）また、前記携帯電話機は、更に操作部と、当該操作部において着信への応答操作が行われた場合に、当該着信への応答処理を実行する応答処理部と、前記報知部が前記報知を開始してから、前記一定時間の計時を行う計時部を備え、前記応答制御部は、前記報知部が前記報知を開始してから前記計時部が前記計時を完了するまで、前記応答処理部による前記応答処理を抑止し、当該計時を完了した後に、当該抑止を停止するよう前記制御を行うこととしてもよい。
【００６３】
この携帯電話機は、着信の報知を開始してから一定時間を経過するまでは、その着信に対する応答を抑止するので、ユーザ操作中に着信があった場合に、誤ってその着信に応答してしまうことを防止しつつも、着信があったことをユーザが知ることができる。
（ｃ）また、前記計時部が計時を行う前記一定時間は、ユーザが前記報知部による前記報知に係る前記着信への応答を行うかを判断できる程度の時間であり、前記携帯電話機は、更にディスプレイを備え、前記操作部は、当該ディスプレイ上の接触操作を検出するためのタッチパッドであり、前記応答制御部は、前記報知部が前記報知を開始してから前記計時部が前記計時を完了するまで、当該報知に係る前記着信への応答操作を行うための応答ボタンを前記ディスプレイに表示させず、当該計時を完了した後に、当該応答ボタンを前記ディスプレイに表示させ、前記応答処理部は、前記ディスプレイに表示されている前記応答ボタンの選択を、前記着信への応答操作として前記応答処理を行うこととしてもよい。
【００６４】
この携帯電話機は、着信の報知を開始してから一定時間を経過するまでは、その着信への応答操作を行うための応答ボタンをディスプレイに表示させないので、ユーザ操作中に着信があった場合に、ユーザが誤ってその着信に応答してしまうことを防止できる。
（ｄ）また、前記携帯電話機は、省電力状態と非省電力状態との２つの状態を有し、更に前記携帯電話機の状態が非省電力状態である場合において、前記操作部への直近の操作から所定時間を経過したときに、当該携帯電話機の状態を省電力状態へと切り替え、前記携帯電話機の状態が省電力状態である場合において、前記操作部への操作があったときに、当該携帯電話機の状態を非省電力状態へと切り替える状態切替部を備え、前記応答制御部は、前記携帯電話機が前記非省電力状態である場合に限り、前記制御を行うこととしてもよい。
【００６５】
操作部への操作が継続的に行われている非省電力状態においては、直近の操作から所定時間以上経過している省電力状態よりも、着信時にユーザ操作が行われている可能性が高いと考えられる。
この携帯電話機は、非省電力状態である場合に限って応答を抑止する制御を行うので、ユーザが誤って着信に応答してしまう可能性を抑えつつも、省電力状態においては、ユーザは、報知により着信があったことを知って一定時間の経過を待つことなくすぐに応答することが可能になる。
【００６６】
（ｅ）また、前記携帯電話機は、更に前記操作部への操作に応じてアプリケーションプログラムを実行する実行部を備え、前記応答制御部は、前記実行部がアプリケーションプログラムを実行している場合に限り、前記制御を行うこととしてもよい。
例えばメールやゲーム等のアプリケーションプログラムが実行中である場合には、アプリケーションプログラムが実行中でない場合よりも、着信時にユーザ操作が行われている可能性が高いと考えられる。
【００６７】
この携帯電話機は、アプリケーションプログラムが実行中である場合に限って応答を抑止する制御を行うので、ユーザが誤って着信に応答してしまう可能性を抑えつつも、アプリケーションプログラムが実行されていない場合には、ユーザは、報知により着信があったことを知って一定時間の経過を待つことなくすぐに応答することが可能になる。
（ｆ）また、前記携帯電話機は、更に連絡先毎に、電話番号と名称とを対応付けて登録したアドレス帳を記憶する記憶部を備え、前記報知部は、前記着信の発信元となる電話番号と対応する名称が前記アドレス帳に登録されている場合には、当該名称を前記ディスプレイに表示させる処理を、前記アドレス帳に登録されていない場合には、前記着信の発信元となる電話番号を前記ディスプレイに表示させる処理を前記報知として行うこととしてもよい。
【００６８】
この携帯電話機は、着信時に、発信元の電話番号に対応する名称がアドレス帳に登録されているかに応じて、その名称かその発信元の電話番号を表示するので、ユーザは、この表示により、発信元が知人であるか否かを確認した上で、着信に応答するかを判断できる。
【産業上の利用可能性】
【００６９】
本発明に係る携帯電話機は、ユーザ操作中に着信があった場合に、誤ってその着信に応答してしまうという誤操作の防止に利用できる。
【符号の説明】
【００７０】
１    筺体
３、２０３    レシーバ
４、２０４    マイク
６、２０６    スピーカ
１００、２００    携帯電話機
１１０、２１０    ディスプレイ
１１１    ＬＣＤ
１１２    バックライト
１１３    タッチパッド
１１４    コントローラ
１２０    音声処理部
１２１    バイブレータ
１３０    通信部
１４０    第１計時部
１４１    第２計時部
１５０、２５０    記憶部
１６０、２６０    制御部
１６１    表示制御部
１６２    実行部
１６３    状態切替部
１６４    報知部
１６５、２６５    応答制御部
１６６、２６６    応答処理部
２１３    操作部
２１４    オフフックボタン
【図１】
2013201670.tif 000003
【図２】
2013201670.tif 000004
【図３】
2013201670.tif 000005
【図４】
2013201670.tif 000006
【図５】
2013201670.tif 000007
【図６】
2013201670.tif 000008
【図７】
2013201670.tif 000009
【図８】
2013201670.tif 000010